(57)【要約】【課題】振動センサを用いることなく、タッチ操作による振動を検出できる画像形成装置を提供する。【解決手段】画面に指が触れたときに生じる静電容量の変化に基づき前記画面をタッチした位置を検出する静電容量方式のタッチパネルと、前記静電容量の時間当たりの変化量を検出する検出部と、画像を読み取る画像読取部と、前記タッチパネル、前記検出部および前記画像読取部を制御する制御部とを備え、前記制御部は、前記時間当たりの変化量が予め定められた閾値以上であるとき、前記タッチパネルの操作による振動が生じたものと判断し、予め定められた処理を行うことを特徴とする画像読取装置。【選択図】図７
2016165063.tif 000002
【特許請求の範囲】
【請求項１】
画面に指が触れたときに生じる静電容量の変化に基づき前記画面をタッチした位置を検出する静電容量方式のタッチパネルと、
前記静電容量の時間当たりの変化量を検出する検出部と、
画像を読み取る画像読取部と、
前記タッチパネル、前記検出部および前記画像読取部を制御する制御部とを備え、
前記制御部は、前記時間当たりの変化量が予め定められた閾値以上であるとき、前記タッチパネルの操作による振動が生じたものと判断し、予め定められた処理を行うことを特徴とする画像読取装置。
【請求項２】
前記制御部は、前記タッチパネルの操作による振動が生じたものと判断した場合において、前記画像読取部が画像を読み取り中であるときは、前記画像の劣化が生じた可能性があるものと判断して、前記画像読取部に前記画像を再度読み取らせる、請求項１に記載の画像読取装置。
【請求項３】
ユーザーに報知する報知部をさらに備え、
前記制御部は、前記タッチパネルの操作による振動が生じたものと判断した場合において、前記画像読取部が画像を読み取り中であるときは、前記画像の劣化が生じた可能性がある旨、前記報知部に報知させる、請求項１または２に記載の画像読取装置。
【請求項４】
前記閾値は、前記画像がカラー画像であるか否かに応じて異なる、請求項１ないし３のいずれか１つに記載の画像読取装置。
【請求項５】
前記画像に基づき、前記画像の種類を判定する画像判定部をさらに備え、
前記閾値は、前記画像の種類に応じて異なる、請求項１〜４のいずれか１つに記載の画像読取装置。
【請求項６】
請求項１ないし５のいずれか１つに記載の画像読取装置を備えた画像形成装置。
【請求項７】
画面に指が触れたときに生じる静電容量の変化に基づき前記画面をタッチした位置を検出する静電容量方式のタッチパネルにおいて、前記静電容量の時間当たりの変化量が予め定められた閾値以上であるとき、前記タッチパネルの操作による振動が生じたものと判断し、さらに画像を読み取り中であるときは、前記画像の劣化が生じた可能性があるものと判断して、前記画像を再度読み取らせることを特徴とする画像読取方法。
【発明の詳細な説明】
【技術分野】
【０００１】
この発明は、静電式のタッチパネルを備えた画像読取装置、それを備えた画像形成装置および画像読取方法に関する。
【背景技術】
【０００２】
複写機、複合機またはスキャナ等の画像読取装置において、操作の最中に振動が発生した場合、誤入力等の問題が生じるおそれがある。
【０００３】
このような振動発生時の誤入力を解決する発明としては、入力部への接触が有効か否かを判定するための判定時間を、振動検出部が検出した振動の大きさに対応して変更することにより、ユーザーの意図した接触入力を受け入れ、ユーザーの意図しない誤入力を無効にする可能性を高めることができる情報端末の発明が開示されている（例えば、特許文献１を参照）。
【先行技術文献】
【特許文献】
【０００４】
【特許文献１】特開２０１４−０５６４８１号公報
【発明の概要】
【発明が解決しようとする課題】
【０００５】
一方、操作時の振動がＣＣＤなどに伝わることによって、読み取り画像の劣化につながることもある。近年、タッチパネルを備えた画像読取装置が一般的になりつつあるが、このような画像読取装置において、ユーザーが原稿読取部に原稿をセットした後、すぐにタッチパネルを操作できるようにするため、原稿読取部の近傍にタッチパネルが配置されることが多い。
それゆえ、タッチパネルを指で強く叩くなど、ユーザーが大きな振動を生じさせるような操作をした場合、タッチ操作による振動が直接、原稿読取部に伝わり、画像を劣化させることがある。
【０００６】
このような問題を解決するため、振動センサによって振動の有無を検知し、振動による画像の劣化を未然に防ぐこともできるが、この場合、振動センサを設置するための余分なスペースが必要となり、また、コストも余分にかかってしまう。
【０００７】
このような事情から、振動センサを用いることなく、タッチ操作による振動を検出できる画像読取装置および画像読取方法が求められていた。
【０００８】
この発明は、振動センサを用いることなく、タッチ操作による振動を検出できる画像読取装置および画像読取方法を提供するものである。
【課題を解決するための手段】
【０００９】
この発明は、画面に指が触れたときに生じる静電容量の変化に基づき前記画面をタッチした位置を検出する静電容量方式のタッチパネルと、前記静電容量の時間当たりの変化量を検出する検出部と、画像を読み取る画像読取部と、前記タッチパネル、前記検出部および前記画像読取部を制御する制御部とを備え、前記制御部は、前記時間当たりの変化量が予め定められた閾値以上であるとき、前記タッチパネルの操作による振動が生じたものと判断し、予め定められた処理を行うことを特徴とする画像読取装置を提供する。
また、この発明は、画面に指が触れたときに生じる静電容量の変化に基づき前記画面をタッチした位置を検出する静電容量方式のタッチパネルにおいて、前記静電容量の時間当たりの変化量が予め定められた閾値以上であるとき、前記タッチパネルの操作による振動が生じたものと判断し、さらに画像を読み取り中であるときは、前記画像の劣化が生じた可能性があるものと判断して、前記画像を再度読み取らせることを特徴とする画像読取方法を提供する。
【発明の効果】
【００１０】
この発明によれば、振動センサを用いることなく、ユーザーの画面操作時の振動を検出することが可能な画像読取装置および画像読取方法が実現される。
【図面の簡単な説明】
【００１１】
【図１】この発明の画像読取装置を備えたデジタル複合機の外観を示す斜視図である。（実施形態１）
【図２】図１に示すデジタル複合機の平面図である。（実施形態１）
【図３】図１に示すデジタル複合機の操作部を示す説明図である。（実施形態１）
【図４】図１に示すデジタル複合機の本体部分の機構的構成を示す断面図である。（実施形態１）
【図５】図１に示すデジタル複合機の電気的構成を示すブロック図である。（実施形態１）
【図６】画像読み取り時に原稿読取装置に振動が加わり劣化した読み取り画像を印刷した画像の一例を示す説明図である。（実施形態１）
【図７】この発明のデジタル複合機の原稿読み取り処理を示すフローチャートである。（実施形態１）
【図８】この発明のデジタル複合機の原稿読み取り処理を示すフローチャートである。（実施形態２）
【発明を実施するための形態】
【００１２】
以下、図面を用いてこの発明をさらに詳述する。なお、以下の説明は、すべての点で例示であって、この発明を限定するものと解されるべきではない。
【００１３】
〔実施形態１〕
図１〜図８に基づき、この発明の画像読取装置の一実施形態であるデジタル複合機１について説明する。
図１は、この発明の画像読取装置を備えたデジタル複合機１の外観を示す斜視図である。図２は、図１に示すデジタル複合機１の平面図である。図３は、図１に示すデジタル複合機１の操作部１０３を示す説明図である。図４は、図１に示すデジタル複合機１の本体部分の機構的構成を示す断面図である。
【００１４】
デジタル複合機１は、画像データをデジタル処理し、複写機能やスキャナ機能、ファクシミリ機能を有する複合機やＭＦＰ（Multifunctional Peripheral：多機能周辺装置）などの装置である。
【００１５】
図１および図２に示すように、デジタル複合機１は、操作部１０３を備える。
【００１６】
また、図３に示すように、操作部１０３は、タッチパネル１０３１および表示操作部１０３０を備える。
タッチパネル１０３１は、液晶パネル等で構成された表示パネルと、表示パネルに重ねて配置されたユーザーの指で押圧された位置を検出するタッチパネルとで構成される。
【００１７】
表示操作部１０３０は、表示灯１０３２、電源キー１０３３、節電キー１０３４およびホームキー１０３５を備える。
ホームキー１０３５は、動作モードを選択するホーム画面へタッチパネル１０３１の表示画面を戻すためのキーである。
【００１８】
また、コピーまたは画像送信（Scan to Email, Scan to Ftp）の原稿読み取り中に、次の操作（コピーまたは画像送信）を実行するための入力が許可されているため、原稿読み取り中であっても、タッチパネル１０３１からの入力が行われる。
【００１９】
図４に示すように、デジタル複合機１は、原稿を読取り部に搬送する原稿搬送装置１１２、原稿を読み取る原稿読取装置１１１、操作部１０３（図１および図２参照）および画像形成を行う印刷部１０２を備える。デジタル複合機１は、操作部１０３や通信部５５（図５参照）を介して受付けたユーザーからの指示に基づいてスキャナ、印刷およびコピーのジョブを実行する。
【００２０】
ここで、ユーザーが原稿読取部に原稿をセットした後、すぐにタッチパネル１０３１を操作できるようにするため、原稿読取部の近傍に操作部１０３およびタッチパネル１０３１が配置されることが多い。
【００２１】
＜デジタル複合機１の構成＞
ここで、図４に示すデジタル複合機１の内部的な構成を簡単に説明しておく。
デジタル複合機１においては、ブラック（Ｋ）、シアン（Ｃ）、マゼンタ（Ｍ）、イエロー（Ｙ）の各色を用いたカラー画像を印刷シートに印刷する。あるいは、単色（例えばブラック）を用いたモノクロ画像を印刷シートに印刷する。このため、現像装置１２、感光体ドラム１３、ドラムクリーニング装置１４、および帯電器１５等は、それぞれ４個ずつ設けられる。各色に応じた４種類のトナー像を形成するために、それぞれがブラック、シアン、マゼンタ、およびイエローに対応付けられて、４つの画像ステーションＰａ、Ｐｂ、Ｐｃ、Ｐｄが構成されている。
【００２２】
各画像ステーションＰａ、Ｐｂ、Ｐｃ、Ｐｄのいずれにおいても、次のようにしてトナー像が形成される。ドラムクリーニング装置１４が、感光体ドラム１３表面の残留トナーを除去および回収する。その後、帯電器１５が感光体ドラム１３の表面を所定の電位に均一に帯電させる。そして、光走査装置１１が均一に帯電した前記表面を露光して前記表面に静電潜像を形成する。その後、現像装置１２が前記静電潜像を現像する。これにより、各感光体ドラム１３表面に各色のトナー像が形成される。
【００２３】
また、中間転写ベルト２１は矢印方向Ｃに周回移動する。ベルトクリーニング装置２２は周回移動する中間転写ベルト２１の残留トナーを除去および回収する。各感光体ドラム１３表面の各色のトナー像が中間転写ベルト２１に順次転写して重ね合わせられて、中間転写ベルト２１上にカラーのトナー像が形成される。
【００２４】
前記印刷シートは、ピックアップローラ３３により４つある給送トレイ１８の何れか一つから引出されて、シート搬送経路Ｒ１を介して２次転写装置２３へ給送される。あるいは、手差しトレイ１９から図示しないピックアップローラによって給送され、シート搬送経路Ｒ１を介して２次転写装置２３へ給送される。シート搬送経路Ｒ１には、印刷シートを一旦停止させて印刷シートの先端を揃えるレジストローラ３４が配置されている。また印刷シートの搬送を促す搬送ローラ３５等が配置されている。レジストローラ３４は、印刷シートを一旦停止させた後、中間転写ベルト２１と転写ローラ２３ａ間のニップ域へトナー像の転写タイミングに合わせて印刷シートを搬送する。
【００２５】
２次転写装置２３の転写ローラ２３ａと中間転写ベルト２１との間にはニップ域が形成される。印刷シートが前記ニップを通過するとき、中間転写ベルト２１の表面に形成されたカラーのトナー像が印刷シートに転写される。印刷シートは、前記ニップ域を通過した後、定着装置１７の加熱ローラ２４と加圧ローラ２５との間に挟まれて加熱および加圧される。この加熱および加圧により、カラーのトナー像が印刷シート上に定着される。
【００２６】
定着装置１７を通過した印刷シートは、排出ローラ３６ａまたは３６ｂを経て排出トレイ３９ａまたは３９ｂへ排出される。印刷シートの排出先は、後述する制御部１００によって制御され、図示しない切替え機構によって排出トレイ３９ａおよび３９ｂの何れかへ印刷シートが導かれるように搬送経路が切替えられる。印刷シートの搬送経路の切替え機構は、画像形成装置の技術分野で周知であるので詳細な図示を省略している。
【００２７】
続いて、図５に基づき、デジタル複合機１の電気的な構成を簡単に説明しておく。
図５は、図１に示すデジタル複合機１の電気的構成を示すブロック図である。
図５に示すように、デジタル複合機１は、通信部５５、制御部１００、印刷部１０２、操作部１０３、メモリ１０４、原稿読取装置１１１および原稿搬送装置１１２を備える。
【００２８】
以下、デジタル複合機１の電気的な各構成要素を説明する。
【００２９】
通信部５５は、外部の機器と通信データを送受し、例えば外部のコンピュータから印刷ジョブの実行要求を受信する通信インターフェースの回路およびファームウェアである。
【００３０】
制御部１００は、デジタル複合機１を統合的に制御するものであって、ＣＰＵ、ＲＡＭ、ＲＯＭ、各種のインターフェース回路等からなる。
制御部１００は、デジタル複合機１全体の動作をコントロールするために、各センサの検知、モーター、クラッチ、定着ランプ等、あらゆる負荷の監視・制御を行う。
【００３１】
印刷部１０２は、電子写真方式により印刷画像を印刷シートに印刷する。印刷部１０２は、図１における光走査装置１１、現像装置１２、感光体ドラム１３、ドラムクリーニング装置１４および帯電器１５に係る電気的構成要素を含んで構成される。さらに、中間転写ベルト２１、定着装置１７、シート搬送経路Ｒ１、給送トレイ１８、および排出トレイ３９ａ、３９ｂに係る電気的構成要素を含んで構成される。
【００３２】
操作部１０３は、液晶ディスプレイ（Liquid Crystal Display）とタッチパネル１０３１から構成され、液晶ディスプレイに情報を表示し、タッチパネル１０３１を通じてユーザーからの指令を受け付ける部分である。制御部１００は、操作部１０３を通じて、デジタル複合機１の動作および状態の表示を行う。
【００３３】
メモリ１０４は、ＲＡＭ１０４ａおよびＲＯＭ１０４ｂを備え、例えばハードディスク装置（ＨＤＤ）やフラッシュメモリ等不揮発性の記憶手段であって、種々のデータやプログラムを格納する。
【００３４】
ＲＡＭ１０４ａは、制御部１００がアクセス可能なメモリ（Random Access Memory）であり、一時的にデータを記憶しておくワークメモリを提供する。ＲＡＭ１０４ａには、例えば、タッチパネル１０３１の静電容量の閾値や、さまざまな種類の画像のデータベースが記録される。
【００３５】
ＲＯＭ１０４ｂは、制御部１００がアクセス可能な読み出し専用メモリ（Read Only Memory）であり、制御部１００のプログラム制御のために必要なデータが格納される。ＲＯＭ１０４ｂには、例えば、画像読取機能やタッチパネル機能などの設定の基礎となる各種のデータが格納される。
【００３６】
ＲＡＭ１０４ａおよびＲＯＭ１０４ｂは、制御部１００とバス接続されており、制御部１００を動作させるためのプログラム格納、メモリ展開がなされる。これらは一例の構成であって、複数のＣＰＵや基板により構成されるシステムであってもよい。
【００３７】
例えば、制御部１００は、原稿読取装置１１１および原稿搬送装置１１２を制御して、原稿搬送装置１１２により原稿を搬送する。そして、原稿読取装置１１１により原稿の画像を読取らせ、原稿の画像を示す画像データをメモリ１０４に格納する。さらに、印刷部１０２を制御して、印刷部１０２でメモリ１０４内の画像データによって示される原稿の画像を印刷シートに印刷させる。
以上がデジタル複合機１の構成の概要である。
【００３８】
＜画像読み取り時の振動による画像劣化の例＞
デジタル複合機１の小型化およびコストダウンを実現すべく、デジタル複合機１および操作部１０３は、共通のフレームで保持されている。それゆえ、ユーザーが、操作部１０３のタッチパネル１０３１を操作する際に、勢いよく強い力でタッチパネル１０３１を操作すると、共通のフレームを通してタッチパネル１０３１の振動が操作部１０３から原稿読取装置１１１に伝わることがある。
それゆえ、原稿読み取り中にタッチパネル１０３１を勢いよく操作した場合、原稿読取装置１１１に振動が伝わって読み取り画像が劣化するおそれがある。
【００３９】
ここでは、図６に基づき、このような画像読み取り時の振動による画像劣化の一例について説明する。
図６は、画像読み取り時に原稿読取装置１１１に振動が加わり劣化した読み取り画像を印刷した画像の一例を示す説明図である。図６（Ａ）は、画像読み取り時に原稿読取装置１１１に振動がない場合の正常な印刷画像の一例を示し、図６（Ｂ）は、画像読み取り時に原稿読取装置１１１に生じた振動によって読み取り画像の一部が劣化した印刷画像の一例を示す。
【００４０】  図６（Ａ）（Ｂ）において（公序良俗違反につき、不掲載）の文字が印刷されている。ここで、画像読み取り時に原稿読取装置１１１に振動が生じると、図６（Ｂ）に示すように、（公序良俗違反につき、不掲載）のうち原稿読取装置１１１が振動を受けた一部の文字「ｈａ」に読み取り画像のブレが生じる。なお、図６（Ｂ）においては、説明のため、読み取り画像のブレを誇張して描いている。
【００４１】
通常、タッチパネル１０３１を指で叩くことによって、ＣＣＤの振動が生じる持続時間は、２０ｍ秒程度であると考えられるが、振動による画像のブレの大きさは、振動の大きさや持続時間によって大きく異なる。
【００４２】
また、カラー画像の場合、ブラック（Ｋ）、シアン（Ｃ）、マゼンタ（Ｍ）、イエロー（Ｙ）の各色に応じて光路長が整合するように微調整する必要があるため、単色（例えばブラック）を用いるモノクロ原稿よりも、振動による画像ブレ(画像劣化)の程度が目立ち易い。それゆえ、モノクロ画像のほうがカラー画像よりも振動時の画像劣化耐性が強い。
【００４３】
＜振動検出処理＞
次に、図７に基づき、この発明のデジタル複合機１の振動検出処理について説明する。
図７は、この発明のデジタル複合機１の原稿読み取り処理を示すフローチャートである。
【００４４】
図７のステップＳ１において、制御部１００は、タッチパネル１０３１の入力を検知したか否かを判定する（ステップＳ１）。
タッチパネル１０３１の入力を検知した場合（ステップＳ１の判定がＹｅｓの場合）、制御部１００は、ステップＳ２において、時間当たりの静電容量の変化量を検出する（ステップＳ２）。
ここで、時間当たりの静電容量の変化量の検出のためのサンプリング時間は、２ｍ秒から１０ｍ秒の程度である。
【００４５】
一方、ステップＳ１において、タッチパネル１０３１の入力を検知していない場合（ステップＳ１の判定がＮｏの場合）、制御部１００は、ステップＳ１の判定を繰り返す（ステップＳ１）。
【００４６】
次に、ステップＳ３において、制御部１００は、時間当たりの静電容量の変化量が予め定められた閾値以上であるか否かを判定する（ステップＳ３）。
【００４７】
ここで、閾値は、さまざまな条件でタッチパネル１０３１を指先でタッチしたときに生じる静電容量の変化量と、原稿読取装置１１１に生じる振動の大きさとの相関関係を示すデータベースをメモリ１０４に格納し、当該データベースに基づいて定める。
【００４８】
ステップＳ３において、時間当たりの静電容量の変化量が予め定められた閾値以上である場合（ステップＳ３の判定がＹｅｓの場合）、制御部１００は、ステップＳ４の判定を行う（ステップＳ４）。
一方、時間当たりの静電容量の変化量が予め定められた閾値以上でない場合（ステップＳ３の判定がＮｏの場合）、制御部１００は、ステップＳ６の処理を行う（ステップＳ６）。
【００４９】
次に、ステップＳ４において、制御部１００は、原稿読み取り中であるか否かを判定する（ステップＳ４）。
原稿読み取り中である場合（ステップＳ４の判定がＹｅｓの場合）、制御部１００は、ステップＳ５において、原稿読取装置１１１に、閾値以上の変化量を検知した時点で原稿読取装置１１１の原稿載置台に載置された読み取った原稿を再度読み取らせる（ステップＳ５）。その後、ステップＳ６の処理を行う（ステップＳ６）。
一方、原稿読み取り中でない場合（ステップＳ４の判定がＮｏの場合）、制御部１００は、ステップＳ６の処理を行う（ステップＳ６）。
【００５０】
最後に、ステップＳ６において、制御部１００は、タッチパネル１０３１の入力処理を行う（ステップＳ６）。
【００５１】
このようにして、振動センサを用いることなく、タッチパネル１０３１の操作時の時間当たりの静電容量の変化量に基づき、原稿を再度読み取るべきか否かを判定することによって、ユーザーの画面操作時の振動による読み取り画像の劣化を防止することが可能となる。
【００５２】
〔実施形態２〕
次に、図８に基づき、この発明のデジタル複合機１の振動検出処理について説明する。
図８は、この発明の実施形態２に係るデジタル複合機１の原稿読み取り処理を示すフローチャートである。
【００５３】
なお、図８のステップＳ１１、Ｓ１２、Ｓ１７およびＳ１８は、図７のステップＳ１、Ｓ２、Ｓ５およびＳ６にそれぞれ対応するため、説明を省略する。
ここでは、図８のステップＳ１３〜Ｓ１６の処理について説明する。
【００５４】
ステップＳ１２において、時間当たりの静電容量の変化量を検出した後、制御部１００は、ステップＳ１３において、原稿読み取り中であるか否かを判定する（ステップＳ１３）。
原稿読み取り中である場合（ステップＳ１３の判定がＹｅｓの場合）、制御部１００は、ステップＳ１４の判定を行う（ステップＳ１４）。
一方、原稿読み取り中でない場合（ステップＳ１３の判定がＮｏの場合）、制御部１００は、ステップＳ１８の処理を行う（ステップＳ１８）。
【００５５】
次に、ステップＳ１４において、制御部１００は、カラーモードで原稿の読み取り中であるか否かを判定する（ステップＳ１４）。
【００５６】
ここで、カラーモードか否かの判定は、ユーザーの設定（例えば、複写機の場合、カラーボタンを押した、カラーでコピーするように設定した等）や、原稿の読み取り結果に基づいて判定する。
【００５７】
カラーモードで原稿の読み取り中である場合（ステップＳ１４の判定がＹｅｓの場合）、制御部１００は、ステップＳ１５において、時間当たりの静電容量の変化量が予め定められた第１閾値以上であるか否かを判定する（ステップＳ３）。
一方、カラーモードで原稿の読み取り中でない場合（ステップＳ１４の判定がＮｏの場合）、制御部１００は、ステップＳ１６において、時間当たりの静電容量の変化量が予め定められた第２閾値以上であるか否かを判定する（ステップＳ１６）。
【００５８】
第１閾値は、原稿がカラー画像の場合の閾値であり、第２閾値は、原稿がモノクロ画像の場合の閾値である。
一般的に、第２閾値は、第１閾値よりも高く設定される。なぜなら、モノクロ画像は、カラー画像よりも、振動に対する画像ブレが出にくい傾向にあるため、モノクロ画像に対応する第２閾値を高く設定することにより、無用な再読み取り動作が行われないようにすることができるからである。
【００５９】
ステップＳ１５において、時間当たりの静電容量の変化量が予め定められた第１閾値以上である場合（ステップＳ１５の判定がＹｅｓの場合）、制御部１００は、ステップＳ１７の処理を行う（ステップＳ１７）。
一方、時間当たりの静電容量の変化量が予め定められた閾値以上でない場合（ステップＳ１５の判定がＮｏの場合）、制御部１００は、ステップＳ１８の処理を行う（ステップＳ１８）。
【００６０】
ステップＳ１６において、時間当たりの静電容量の変化量が予め定められた第２閾値以上である場合（ステップＳ１６の判定がＹｅｓの場合）、制御部１００は、ステップＳ１７の処理を行う（ステップＳ１７）。
一方、時間当たりの静電容量の変化量が予め定められた閾値以上でない場合（ステップＳ１６の判定がＮｏの場合）、制御部１００は、ステップＳ１８の処理を行う（ステップＳ１８）。
【００６１】
このようにして、読み取り原稿がカラー画像かモノクロ画像かに応じて、原稿の再読み取りの閾値を変化させることにより、不要なリカバー動作の発生を防ぐことが可能となる。
【００６２】
（その他の実施形態）
１．実施形態１または２において、ユーザーに報知する報知部をさらに備え、時間当たりの静電容量の変化量が予め定められた閾値以上であった場合、振動により画像の劣化が生じた可能性がある旨、報知するようにしてもよい（実施形態３）。
【００６３】
このようにすれば、振動によって画像の劣化が生じた可能性をユーザーに報知することにより、ユーザーの注意を促し、タッチ操作時に振動が生じないようにしたり、読み取った画像を再度読み取らせたりするなどの適切な対応を取るための機会をユーザーに与えることができる。
【００６４】
２．実施形態１〜３において、画像の種類を判定し、前記画像の種類に応じて閾値を変えるようにしてもよい（実施形態４）。
【００６５】
このようにすれば、画像の種類を判断して閾値を変化させる事で、不必要な再読取処理等の発生を防ぐことが可能となる。
【００６６】
同じカラー原稿またはモノクロ原稿であっても、画像の種類によって、振動による画像ブレが目立たない原稿も存在する。例えば、一様に塗りつぶされた写真画像は、テキスト画像よりも、画像の劣化が目立ちにくいため、このような画像については閾値を高めに設定する。
【００６７】
画像の種類を判断する方法としては、例えば、ユーザーが設定したコピーやスキャナ時の選択モード（フォト、テキスト等）に基づいて判断する方法や、画像の密度と画像の種類との間の相関関係を示すデータベースに基づいて判断する方法などが挙げられる。
【００６８】
３．実施形態１〜４において、時間当たりの静電容量の変化量の他に、指のタッチパネル１０３１への接触面積も考慮するものであってもよい（実施形態５）。
【００６９】
このようにすれば、タッチ操作による振動の大きさをより正確に見積もることができるため、より正確な判断が可能となる。
【００７０】
時間当たりの静電容量の変化は、指の速度に対応するが、指の速度が同じであっても、タッチパネル１０３１への接触面積が大きい方が、振動も大きくなるものと考えられるためである。
【００７１】
４．実施形態１〜５において、原稿搬送装置１１２として、循環式原稿自動搬送装置などを用いてもよい。（実施形態６）
【００７２】
このようにすれば、原稿搬送装置１１２として循環式原稿自動搬送装置などを用いた場合においても、操作部１０３からの衝撃を検知したときに、読み取った原稿を再度読み取らせるため、画像読み取り時に原稿読取装置１１１に生じた振動の影響で読み取り画像の劣化が生じることを事前に防止することが可能となる。
【００７３】
以上に述べたように、
（i）この発明による画像読取装置は、画面に指が触れたときに生じる静電容量の変化に基づき前記画面をタッチした位置を検出する静電容量方式のタッチパネルと、前記静電容量の時間当たりの変化量を検出する検出部と、画像を読み取る画像読取部と、前記タッチパネル、前記検出部および前記画像読取部を制御する制御部とを備え、前記制御部は、前記時間当たりの変化量が予め定められた閾値以上であるとき、前記タッチパネルの操作による振動が生じたものと判断し、予め定められた処理を行うことを特徴とする。
また、この発明による画像読取方法は、画面に指が触れたときに生じる静電容量の変化に基づき前記画面をタッチした位置を検出する静電容量方式のタッチパネルにおいて、前記静電容量の時間当たりの変化量が予め定められた閾値以上であるとき、前記タッチパネルの操作による振動が生じたものと判断し、さらに画像を読み取り中であるときは、前記画像の劣化が生じた可能性があるものと判断して、前記画像を再度読み取らせることを特徴とする。
【００７４】
この発明において、「画像読取装置」は、プリンタなどの複写（コピー機能）機能を有する複写機、スキャナ、ファクシミリ、または複合機など、原稿を読み取る画像読取機能を備えた装置である。
【００７５】
さらに、この発明の好ましい態様について説明する。
（ii）前記制御部は、前記タッチパネルの操作による振動が生じたものと判断した場合において、前記画像読取部が画像を読み取り中であるときは、前記画像の劣化が生じた可能性があるものと判断して、前記画像読取部に前記画像を再度読み取らせるものであってもよい。
【００７６】
このようにすれば、タッチ操作による振動の影響で画像の劣化が生じることを防止することが可能となる。
【００７７】
（iii）ユーザーに報知する報知部をさらに備え、前記制御部は、前記タッチパネルの操作による振動が生じたものと判断した場合において、前記画像読取部が画像を読み取り中であるときは、前記画像の劣化が生じた可能性がある旨、前記報知部に報知させるものであってもよい。
【００７８】
このようにすれば、振動によって画像の劣化が生じた可能性をユーザーに報知することにより、ユーザーの注意を促し、タッチ操作時に振動が生じないようにしたり、読み取った画像を再度読み取らせたりするなどの適切な対応を取るための機会をユーザーに与えることができる。
【００７９】
（iv）前記閾値は、前記画像がカラー画像であるか否かに応じて異なるものであってもよい。
【００８０】
このようにすれば、振動による画像劣化耐性が強いモノクロ原稿時の閾値を、カラー原稿時の閾値よりも高く設定することにより、不必要な再読取処理等の発生を防ぐことが可能となる。
【００８１】
（v）前記画像に基づき、前記画像の種類を判定する画像判定部をさらに備え、前記閾値は、前記画像の種類に応じて異なるものであってもよい。
【００８２】
このようにすれば、画像の種類に応じて閾値を変化させることで、不必要な再読取処理等の発生を防ぐことが可能となる。
【００８３】
（vi）前記画像読取装置を備えた画像形成装置であってもよい。
【００８４】
このようにすれば、振動センサを用いることなく、タッチ操作による振動を検出できる画像形成装置を実現できる。
【００８５】
「画像読取装置」は、トナーによる像形成に電子写真方式を用いるプリンタなどの複写（コピー機能）機能を有する複写機や複合機、または複写以外の機能をも含むＭＦＰ（Multifunctional Peripheral：多機能周辺装置）など、画像を形成して出力する装置である。
【００８６】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００８７】
１：デジタル複合機、    １１：光走査装置、    １２：現像装置、    １３：感光体ドラム、    １４：ドラムクリーニング装置、    １５：帯電器、    １７：定着装置、    １８：給送トレイ、    １９：手差しトレイ、    ２１：中間転写ベルト、    ２２：ベルトクリーニング装置、    ２３：２次転写装置、    ２３ａ：転写ローラ、    ２４：加熱ローラ、    ２５：加圧ローラ、    ３３：ピックアップローラ、    ３４：レジストローラ、    ３５：搬送ローラ、    ３６ａ，３６ｂ：排出ローラ、    ３９ａ，３９ｂ：排出トレイ、    ５５：通信部、    １００：制御部、    １０２：印刷部、    １０３：操作部、    １０４：メモリ、    １０４ａ：ＲＡＭ、    １０４ｂ：ＲＯＭ、    １１１：原稿読取装置、    １１２：原稿搬送装置、    １０３０：表示操作部、    １０３１：タッチパネル、    １０３２：表示灯、    １０３３：電源キー、    １０３４：節電キー、    １０３５：ホームキー、    Ｃ：矢印方向、    Ｐａ，Ｐｂ，Ｐｃ，Ｐｄ：画像ステーション、    Ｒ１：シート搬送経路
【図１】
2016165063.tif 000003
【図５】
2016165063.tif 000004
【図７】
2016165063.tif 000005
【図８】
2016165063.tif 000006
【図２】
2016165063.tif 000007
【図３】
2016165063.tif 000008
【図４】
2016165063.tif 000009
【図６】
2016165063.tif 000010